(57)【特許請求の範囲】
【請求項１】
走行玩具であって、玩具本体は、軸架された第一のシャフトの両端に設けられ前後方向に回転自在な車輪と、回転自在に軸支された第一の係止フック及び、少なくとも一以上の第二の係止フックと、前記軸架された第一のシャフトに設けられ第一の係止フックの解除を行う偏心カムと、往復動可能な射出台と、前記射出台を復動する方向に収縮する弾性部材とからなり、
前記射出台には、往動時に前記第一の係止フックと係止する孔と、復動時に前記少なくとも一以上の第二の係止フックの係止の解除を行う押出片を備え、前記射出台は、前記車輪が回転を行う事によって偏心カムが回転を行い、前記第一の係止フックと前記射出台に設けられた孔との係止が解除され、収縮可能な弾性部材によって復動動作を行うことにより、前記射出台に設けた押出片が、少なくとも一以上の第二の係止フックの係止の解除を行うことを特徴とする走行玩具。
【請求項２】
走行玩具であって、玩具本体は、軸架された第一のシャフト及び第二のシャフトと、前記第一のシャフトの両端に設けられ前後方向に回転自在な車輪と、前記第一のシャフト及び第二のシャフトに設けられ車輪の回転を伝達する伝達歯車と、回転自在に軸支された第一の係止フック及び、少なくとも一以上の第二の係止フックと、前記第二のシャフトに設けられ第一の係止フックの解除を行う偏心カムと、往復動可能な射出台と、前記射出台を復動する方向に収縮する弾性部材とからなり、
前記射出台は、往動時に前記第一の係止フックと係止する孔と、復動時に前記少なくとも一以上の第二の係止フックの係止の解除を行う押出片を備え、前記射出台は、前記車輪が回転を行うと前記伝達歯車を通し、前記偏心カムに回転が伝達され、前記第一の係止フックと前記係止する孔の係止が解除され、前記収縮可能な弾性部材によって、復動動作を行うことにより、前記射出台に設けた押出片が、少なくとも一以上の第二の係止フックの係止の解除を行うことを特徴とする走行玩具。
【請求項３】
請求項１又は２において、前記偏心カムに前記射出台を往動させる爪部と、前記射出台に該爪部と係止する孔を設け、前記偏心カムが回転を行うことによって、前記射出台が往動し、前記射出台に設けた孔に第一の係止フックが自重によって再係止を行うことを特徴とする走行玩具。
【請求項４】
請求項１乃至３のいずれか１項に記載の走行玩具において、前記車輪を回転させる回転動力を設けたことを特徴とする走行玩具。
【発明の詳細な説明】
【０００１】
【発明の属する技術分野】
本発明は走行玩具に関する。
【０００２】
【従来の技術】
従来の走行玩具は、次のように構成されていた。
即ち、玩具本体に内蔵されたフレームに、回転動力源を備えると共に、伝動歯車を介してこの回転動力源により減速駆動回転されるカムドラム部を設け、このカムドラム部のその外周面部には、その軸方向に排列して各回転可能に枢支された複数の操作連杆の一回転端部を当接させ、かつ、この外周面部は回転されるときこの当接した各回転端部を互いにある回転角度おきに回転させるように形成したカムドラムを備えられていて、カムドラムが回転させ、対向他端部が連動されるときその先端により玩具の各動作を始動制御するようになっていた。
【０００３】
しかしながら、従来の構成では、回転動力源が回転し続けた場合、所定の間隔で再び動作を繰り返すようなる為に、玩具本体は走行しながら同じ可動を繰り返すようになっていた。また、玩具可動の為の負荷が、回転動力源にかかってしまい、回転速度の低下や可動速度が低下することがあった。さらに、複雑な機械構造を必要とし、組立てが難解になりコストが高価になっていた。
【０００４】
【発明が解決しようとする課題】
そこで、上記従来技術の問題点に斯かる実情に鑑みなされたもので、車輪からの回転力は、第一の係止フックの解除を行う負荷のみにし、第二の係止フックの解除は弾性部材を利用することにより走行に負荷がかからなくし、該解除動作によって第二の係止フックが解除され、可動を行うこと可能とした走行玩具を提供することを課題とする。
【０００５】
【課題を解決するための手段】
本発明は、走行玩具であって、玩具本体は、軸架された第一のシャフトの両端に設けられ前後方向に回転自在な車輪と、回転自在に軸支された第一の係止フック及び、少なくとも一以上の第二の係止フックと、前記軸架された第一のシャフトに設けられ第一の係止フックの解除を行う偏心カムと、往復動可能な射出台と、前記射出台を復動する方向に収縮する弾性部材とからなり、前記射出台には、往動時に前記第一の係止フックと係止する孔と、復動時に前記少なくとも一以上の第二の係止フックの係止の解除を行う押出片を備え、前記射出台は、前記車輪が回転を行う事によって偏心カムが回転を行い、前記第一の係止フックと前記射出台に設けられた孔との係止が解除され、収縮可能な弾性部材によって復動動作を行うことにより、前記射出台に設けた押出片が、少なくとも一以上の第二の係止フックの係止の解除を行うことを特徴とする。
【０００６】
上記本発明によれば、車輪からの回転力は、第一の係止フックの解除を行う負荷のみにし、第二の係止フックの解除は弾性部材を利用することにより、車輪に所定の回転が加えられると、第一の係止フックの解除動作を行い、該動作によって第二の係止フックが解除され可動を行うことができる。
【０００７】
本発明は、走行玩具であって、玩具本体は、軸架された第一のシャフト及び第二のシャフトと、前記第一のシャフトの両端に設けられ前後方向に回転自在な車輪と、前記第一のシャフト及び第二のシャフトに設けられ車輪の回転を伝達する伝達歯車と、回転自在に軸支された第一の係止フック及び、少なくとも一以上の第二の係止フックと、前記第二のシャフトに設けられ第一の係止フックの解除を行う偏心カムと、往復動可能な射出台と、前記射出台を復動する方向に収縮する弾性部材とからなり、前記射出台は、往動時に前記第一の係止フックと係止する孔と、復動時に前記少なくとも一以上の第二の係止フックの係止の解除を行う押出片を備え、前記射出台は、前記車輪が回転を行うと前記伝達歯車を通し、前記偏心カムに回転が伝達され、前記第一の係止フックと前記係止する孔の係止が解除され、前記収縮可能な弾性部材によって、復動動作を行うことにより、前記射出台に設けた押出片が、少なくとも一以上の第二の係止フックの係止の解除を行うことを特徴とする。
【０００８】
上記本発明によれば、車輪からの回転力を伝達歯車で減速又は加速させ、第二のシャフトが所定の回転が加えられると、第一の係止フックの解除動作を行い、該動作によって第二の係止フックが解除され可動を行うことができる。
【０００９】
本発明は、請求項１又は２において、前記偏心カムに前記射出台を往動させる爪部と、前記射出台に該爪部と係止する孔を設け、前記偏心カムが回転を行うことによって、前記射出台が往動し、前記射出台に設けた孔に第一の係止フックが自重によって再係止を行うことを特徴とする。
【００１０】
上記本発明によれば、偏心カムが回転を行うことによって、前記射出台が往動し、前記射出台に設けた孔に第一の係止フックが自重によって再係止を行うことができる。
【００１１】
本発明は、請求項１乃至３において、前記車輪を回転させる回転動力を設けたことを特徴とする。
【００１２】
上記本発明によれば、遊戯者が玩具を移動させ車輪を回転させなくとも、内設された回転動力によって玩具自体で走行を行うことができる。
【発明の実施の形態】
走行玩具であって、玩具本体には、軸架された第一のシャフトの両端に前後方向に回転自在な車輪と、回転自在に軸支された第一の係止フック及び、少なくとも一以上の第二の係止フックと、前記軸架されたシャフトに第一の係止フックの解除を行う偏心カムと、往復動可能な射出台と、前記射出台を復動する方向に収縮する弾性部材とからなり、
前記射出台には、往動時に前記第一の係止フックと係止する孔と、復動時に前記少なくとも一以上の第二の係止フックの係止の解除を行う押出片を備え構成した。
【００１３】
【実施例】
以下、本発明の実施例を添付図面を参照して説明する。
【００１４】
図１は、本発明に係る走行玩具の外観を表す斜視図であり、図２は本発明に係る分解斜視図である。玩具本体１には、玩具本体には第一のシャフト４及び第二のシャフト５が回転自在に軸架され、その両端には玩具本体１を走行させる車輪２が設けられ、また、第一のシャフト４及び第二のシャフト５には車輪２の回転を伝動する伝動歯車３が設けられている。また、第二のシャフト５はシャフト中央部に偏心カム６が設けられている。
【００１５】
また、伝動歯車３を利用した実施例としているが、第一のシャフト４に、偏心カム６が設け、車輪２の回転に連動した動作を行っても構わない。
【００１６】
さらに、第一のシャフト４は玩具本体１に軸架される構造としているが、車輪２に伝動歯車３を設け、玩具本体１に回転自在に枢支するよう構成し、第一のシャフト４を利用しないようにしても同様の効果を得ることができる。
【００１７】
また、玩具本体１には、射出台７があり、玩具本体前後方向にスライドし往復動作をするようになっている。射出台７の後方部に、第一の係止フック８と係止する孔７ａが設けられている。また、射出台７及び玩具本体１にバネ固定フック１１が設けられ、射出台７は玩具本体１との間にバネ１０が設けられ、射出台７が玩具本体１後部方向に往動時にバネ１０が伸長し、また玩具本体１前部方向に復動時にバネ１０が縮退するように設けられている。さらに、射出台７は、前部に第二の係止フック９の係止解除を行う押出片７ｂが設けられている
【００１８】
射出台７の復動動作を行う為に、実施例ではバネ部材が用いられているが、安価に実施できることでバネ・ゴムなどの弾性部材が望ましいが、空気圧・油圧・磁力などを利用し、復動動作を行っても構わない。
【００１９】
また、玩具本体１には、第一の係止フック８及び第二の係止フック９が軸架され、第一の係止フック８先端部は、偏心カム６と当接している。さらに、中央部は射出台７に設けられた係止する孔７ａと係止を行うフックの形状に形成されている。また、第二の係止フック９は、玩具本体１に設けられた板バネ１４と圧接し、第二の係止フック９がミサイル１２を係止するようになっている。
【００２０】
また、偏心カム６は、実施例では別の部材をして設けられているが、第二のシャフト５の第一の係止フック４と当接する部分の形状を、凸形状にし、偏心カム６の代わりとしても、同等の効果を得ることができる。
【００２１】
また、玩具本体１には、ミサイル固定のシャフト１３が設けられている。該シャフト１１にバネの力により発射されるミサイル１２が取り付けられる。また該ミサイル１２は管体形状で、先端は塞がっていて、底端面にはミサイル固定シャフトを挿入する為の開口部１２ｂがあり、開口部１２ｂ外側面には、また第二の係止フック９を係止するために段形状となっている。またミサイル内部にはミサイルの発射動力としてバネ１２ａが設けられている。
【００２２】
図３〜５は、走行玩具の動作の説明を行う。図３は、走行玩具の走行前の状態を表す上面図であり、図４は、走行玩具の走行中であり、第一の係止フックの係止が解除された上面図である。図５は、係止フックの係止中と係止の解除状態を表す玩具本体中央の断面図である。
【００２３】
遊戯者が、玩具本体１を前後方向に移動を行うことにより、路面と接地された車輪２との間の摩擦により車輪２が回転を行うことや、また玩具本体にモータなどの回転動力を設け、それを作動させることにより、車輪２が回転を行いスムーズに移動を行う。この時に、車輪２に構成された伝動歯車３が回転することにより、偏心カム６が設けたられたシャフトも、回転動作が伝達される。
【００２４】
偏心カム６が設けられたシャフトが回転を行うことにより、偏心カムも同時に回転を行う。偏心カムと当接した第一の係止フック８の先端は、偏心カムが回転を行うにつれ持ち上げられ、それに伴い第一の係止フックが持ち上げられ、やがて、射出台７に設けられた係止孔７ａとの係止が解除される。
【００２５】
射出台７は、第一の係止フック８が係止することによって、バネ力に抗して復動することを止めていたが、第一の係止フック８が持ち上げられ、係止が解除されることにより、射出台７はバネ収縮方向にスライドを行う。この時に射出台７に設けられた押出片７ｂが、第二の係止フック９を押し上げられることにより、軸架された軸を中心に回転し、板バネ１４を押し下げ、ミサイル１２を係止している第二の係止フック９の係止が解除される。
【００２６】
第二の係止フック９は、ミサイル固定シャフト１３に係止されているミサイル１２の発射を抑制しているが、射出台７によって、係止が解除されることにより、ミサイル１２の内部に設けられたバネ１２ａが伸長を行うことによって発射され、玩具が走行に伴って可動するようになる。
【００２７】
図６および図７は、走行玩具の偏心カム６を応用した実施例である。
図６は、偏心カム６を設けた軸に、さらに別の偏心カム６を設け、複数の偏心カム６を設けた実施例である。複数の偏心カム６はそれぞれ偏心の角度を変えて設置し、夫々に対応する射出台７を設けることにより、複数の偏心カム６が同時に回転を行い、夫々の設置角度に応じて時間差で作動し、時間差を伴って可動する玩具を提供できる。
【００２８】
また、複数の偏心カム６は、任意に偏心角度を設定可能なように設けられていて、遊戯者が偏心カムの設置角度を任意に設定することによって、所望するタイミングで可動させることが出来る。
【００２９】
図７は、また偏心カム６の形状を変化させ、爪６ａとなる部分を設け、また射出台７に爪６ａに係止する孔７ａを設けることにより、爪６ａによって射出台７を往動させ、爪６ａの係止が解除されることによって、射出台７がバネ１０によって復動し、第二の係止フック９の解除を行うようにすることもできる。図７では、偏心カム６に爪６ａとなる部分を２箇所設け、偏心カム６が１回転する間に、再係止と係止の解除を夫々２回行うようになっている。このように、偏心カムの形状を変化させることにより、複数回動作させることもできる。
【００３０】
また、偏心カム６は任意に偏心角度を設定可能なように設けられていて、遊戯者が偏心カムの設置角度を任意に設定することによって、所望するタイミングで可動させることが出来る。この場合、偏心カム６は射出台７を往動させる際、バネ１０から一定の張力を受けるため、爪６ａが該張力によって空転してしまわない程度の抵抗が加わるように、爪６ａにクラッチ等を設けることが望ましい。
【００３１】
また、偏心カム６の形状を変化させるのではなく、再係止するための偏心カムと係止の解除を行う偏心カム６を夫々設けても構わない。この場合、再係止するための偏心カムが回転することによって、爪６ａと射出台７に設けた係止する孔７ａに係止し、射出台７を往動させる。射出台７が往動することにより、第一の係止フック８は、その自重により再係止されるようになる。係止の解除を行う偏心カム６も同様に回転し、第一の係止フック８の係止が解除されることによって、射出台７がバネによって復動し、第二の係止フック９の解除を行うようにすることもできる。
【００３２】
尚、本発明の走行玩具は、上記した実施例に限定されるものではなく、本発明の要旨を逸脱しない範囲内において種々変更を加え得ることは勿論である。
【００３３】
【発明の効果】
本発明は、以上説明したような形態で実施され、次のような効果を有する。
【００３４】
本発明は、車輪からの回転力は、第一の係止フックの解除を行う負荷のみにし、第二の係止フックの解除は弾性部材を利用することにより、車輪に所定の回転が加えられると、第一の係止フックの解除動作を行い、該動作によって第二の係止フックが解除され可動を行うことができる。
【００３５】
また本発明は、車輪からの回転力を伝達歯車で減速又は加速させ、第二のシャフトが所定の回転が加えられると、第一の係止フックの解除動作を行い、該動作によって第二の係止フックが解除され可動を行うことができる。
【００３６】
さらに本発明は、偏心カムが回転を行うことによって、前記射出台が往動し、前記射出台に設けた孔に第一の係止フックが自重によって再係止を行うことができる。
【００３７】
さらに本発明は、遊戯者が玩具を移動させ車輪を回転させなくとも、内設された回転動力によって玩具自体で走行を行うことができる。
【図面の簡単な説明】
【図１】本発明に係る走行玩具の外観を表す斜視図である。
【図２】本発明に係る走行玩具の分解斜視図である。
【図３】本発明に係る走行玩具の走行前の状態を表す上面図である。
【図４】本発明に係る走行玩具の走行中であり、第一の係止フックの係止が解除された上面図である。
【図５】本発明に係る走行玩具の係止フックが係止中と係止の解除状態を表す断面図である。
【図６】本発明に係る走行玩具の偏心カムを複数用いた例である。
【図７】本発明に係る走行玩具の偏心カムを用いて再係止を行う断面図である。
【符号の説明】
１    玩具本体
２    車輪
３    伝道歯車
４    第一のシャフト
５    第二のシャフト
６    偏心カム
６ａ  爪
７    射出台
７ａ  係止孔
７ｂ  押出片
８    第一の係止フック
９    第二の係止フック
１０    バネ
１１    バネ固定フック
１２    ミサイル
１２ａ  ミサイル用バネ
１２ｂ  ミサイル開口部
１３    ミサイル固定シャフト
１４    板バネ
【図１】
0004598310.tif 000002
【図２】
0004598310.tif 000003
【図３】
0004598310.tif 000004
【図４】
0004598310.tif 000005
【図５】
0004598310.tif 000006
【図６】
0004598310.tif 000007
【図７】
0004598310.tif 000008